(57)【特許請求の範囲】
【請求項１】
子供が扱えない容器において、
閉鎖下端、開放上端、前記開放上端に近接し容器ベースの外面に配置された半径方向に延びるフランジ、第１のキャップ係合要素、および第２のキャップ係合要素を備える容器ベースであって、
前記第１および第２のキャップ係合要素が、前記容器ベースの前記外面上に、互いに反対側で且つ前記開放上端と前記フランジとの間に配置され、
前記第１のキャップ係合要素および第２のキャップ係合要素が、それぞれ、前記開放上端と前記半径方向に延びるフランジとの間に位置し前記フランジに略平行である隆起面と、前記隆起面と前記フランジとの間に配置された複数のリッジと、前記複数のリッジ間の少なくとも１つの溝とを備える、
容器ベース；および
容器キャップの内面に１つ以上のベース係合要素を含む容器キャップであって、
前記１つ以上のベース係合要素のそれぞれが、前記容器ベースの前記第１および第２のキャップ係合要素に係合して可逆的に結合するように構成されており、
前記容器キャップの前記１つ以上のベース係合要素のそれぞれが、上列リッジおよび下列リッジを備え、前記下列リッジの中の少なくとも１つが、それぞれの前記キャップ係合要素の前記少なくともの１つの溝と係合するように構成されている、
容器キャップ；
を備える、子供が扱えない容器。
【請求項２】
前記上列および下列リッジが、前記半径方向に延びるフランジ、前記第１のキャップ係合要素、前記第２のキャップ係合要素、またはそれらの組み合わせと係合するように構成されている、請求項１に記載の子供が扱えない容器。
【請求項３】
前記容器ベースと前記容器キャップとの係合が、前記１つ以上のベース係合要素が前記第１および第２のキャップ係合要素とロック可能に固定し、閉鎖構成にある場合に実質的に子供が扱えない容器を提供することを可能にする、請求項１に記載の子供が扱えない容器。
【請求項４】
前記容器ベースが、さらに、前記第１のキャップ係合要素と前記第２のキャップ係合要素との間の半径方向外面に対称的に配置された１つ以上の回転防止ロックを備える、請求項３に記載の子供が扱えない容器。
【請求項５】
さらに、前記容器ベースの前記キャップ係合要素の同じ側の前記半径方向フランジの直下の外面に配置されたグリップマーキングを備える、請求項４に記載の子供が扱えない容器。
【請求項６】
前記容器キャップが、４つのベース係合要素を備える、請求項４に記載の子供が扱えない容器。
【請求項７】
前記容器キャップが、さらに、前記キャップの上端に隆起部を備え、前記容器ベースが、さらに、前記ベースの凹床によって画定される受け部を備え、前記キャップの前記隆起部が、子供が扱えない容器が他の子供が扱えない容器に積み重ねることができるように、前記容器ベースの前記受け部と係合するように適合されている、請求項１に記載の子供が扱えない容器。
【請求項８】
前記受け部が、前記受け部の外縁に沿って配置された複数の積み重ね要素を備える、請求項７に記載の子供が扱えない容器。
【請求項９】
前記容器ベースか前記容器キャップ、または双方がポリマーを含む、請求項１に記載の子供が扱えない容器。
【請求項１０】
前記ポリマーが、
ポリプロピレン、ポリプロピレンコポリマー、超透明ポリプロピレン、着色ポリプロピレン、ＰＥＴ、ＰＥＴＥ、ポリカーボネート、ポリスチレン、またはそれらの組み合わせを含む、請求項９に記載の子供が扱えない容器。
【請求項１１】
前記容器キャップが、さらに、前記キャップの前記上端の内面に配置された環状シールリングを備える、請求項９に記載の子供が扱えない容器。
【請求項１２】
前記容器が、実質的に気密性、液密性、耐光性、耐熱性、耐湿性、耐菌性、耐タンパー性、またはそれらの組み合わせである、請求項１１に記載の子供が扱えない容器。
【請求項１３】
前記容器ベースが、さらに、
前記容器ベース内の２つ以上の区画を画定するインサートを備える、請求項１２に記載の子供が扱えない容器。
【請求項１４】
容器の子供が扱えない閉鎖部に影響を与える方法において、
容器ベースおよび容器キャップを備える子供が扱えない容器を提供することであって、  前記容器ベースが、閉鎖下端、開放上端、前記開放上端に近接し前記容器ベースの外面に配置された半径方向に延びるフランジ、第１のキャップ係合要素、および第２のキャップ係合要素を備え、
前記第１のキャップ係合要素および第２のキャップ係合要素が、それぞれ、前記開放上端と前記半径方向に延びるフランジとの間に位置し前記フランジに略平行である隆起面と、前記隆起面と前記フランジとの間に配置された複数のリッジと、前記複数のリッジ間の少なくとも１つの溝とを備え、
前記第１および第２のキャップ係合要素が、前記容器ベースの前記外面に、互いに反対側で且つ前記開放上端と前記フランジとの間に配置され、
前記容器キャップが、前記キャップの内面に１つ以上のベース係合要素を備え、前記１つ以上のベース係合要素のそれぞれが、前記ベースの前記少なくとも１つのキャップ係合要素に係合して可逆的に結合するように構成され、
前記容器キャップの前記１つ以上のベース係合要素のそれぞれが、上列リッジおよび下列リッジを備えていること；および
前記容器ベースの前記開放端上で前記容器キャップを摺動させることであって、
前記下列リッジの中の少なくとも１つが、それぞれの前記キャップ係合要素の前記少なくともの１つの溝と係合することにより、前記第１および第２のキャップ係合要素が前記１つ以上のベース係合要素と係合して結合すること；
を備える、方法。
【請求項１５】
前記上列および前記下列リッジが、前記半径方向に延びるフランジ、前記第１のキャップ係合要素、前記第２のキャップ係合要素、またはそれらの組み合わせと係合するように構成されている、請求項１４に記載の方法。
【請求項１６】
前記容器キャップを前記容器ベースの前記開放端上で摺動させることが、前記下列リッジが前記キャップ係合要素の前記隆起面上を摺動して結合することを可能にし、前記下列リッジからのリッジが、前記容器ベースの前記少なくとも１つの溝に受け入れられる、請求項１４に記載の方法。
【請求項１７】
さらに、約０．９１〜約２．７キログラムの外部圧縮力を前記容器ベースの両側に同時に加え、前記容器ベースから前記容器キャップを引き抜くことによって前記容器キャップを取り外すことを備える、請求項１６に記載の方法。
【発明の詳細な説明】
【技術分野】
【０００１】
関連出願の相互参照
この米国非仮特許出願は、その内容全体が参照により本明細書に組み込まれる、「保管容器、それを含む積み重ね可能な保管システム、およびそれを使用する在庫方法」という名称の２０１７年５月１日に出願された米国仮特許出願第６２／４９２，６７８号の優先権を主張する。
【０００２】
本開示は、子供が扱えない容器および容器の使用方法を含む、保管および在庫管理システム用のモジュール式容器システムに関する。
【背景技術】
【０００３】
子供に有害な可能性のある物質または材料を保管することを目的とした容器は、子供が開けることを防ぐように設計されているが、さらに高齢者を含む大人が操作して物質にアクセスすることができる。これらの「子供が扱えない」容器は、一般に、市販薬および処方薬用に使用される。洗濯洗剤、クリーナーなど、飲み込んだり摂取したりすると有毒になる他の家庭用品には、他の子供が扱えない容器が使用されている。これらのシステムは、子供がこれらの容器の内容物に誤ってアクセスすることを防ぐために用意されている。
【０００４】
一般に、子供が扱えない容器は、複数段階の開封プロセスを含むかまたは手順を同時に完了する必要がある。そのような容器を開くには、ある程度の精神的および肉体的な器用さが必要であり、子供が内容物にアクセスすることを困難にする。例えば、そのような容器を開くには、第２のアクションが完了する間に一定量の圧力または力を使用する必要があり、これは、子供が容器を開いて内容物にアクセスすることを防ぐ。
【０００５】
子供が扱えない容器を形成する際の課題は、高齢者や他の個人が使用することができるように容器を十分に簡単にすることである。例えば、一部の子供が扱えない容器は、スクリューキャップまたはポップトップの閉鎖部を提案しており、それらは、子供が扱えなくするためには効果的であるが、これらのデバイスは、手首や指の関節の炎症や関節炎の個人にとってはある程度の困難をもたらす。
【０００６】
現在入手可能な子供が扱えない容器はまた、水分、温度、バクテリアまたは空気などの環境要因にさらされた際の劣化から内容物を保護するのに不十分であることが多い。
【０００７】
また、ほとんどのスクリューキャップ薬容器には、計数、並べ替え、積み重ねおよび効率的な在庫管理に適した外部特徴がない。
【０００８】
したがって、高齢者または身体障害のある個人にとって使いやすいとともに、子供が扱えない特徴を提供する、改善された容器およびシステムの必要性が残っている。また、液密性、気密性、またはその双方など、貯蔵寿命を改善するために内容物が保護される容器の必要性が残っている。最後に、効率的な積み重ねに適合させることができ且つより大きな保管および在庫システムの一部とすることができる容器の必要性が残っている。そのような特徴は、容器がパッケージングおよび流通センターにおける自動化に使用されることを可能にする。容器は、容易な保管、在庫、在庫調整、および大量流通することを可能にする保管システムの一部である。
【発明の概要】
【発明が解決しようとする課題】
【０００９】
本発明は、モジュール式容器システムに関する。モジュール式容器システムは、一般に、トレイフレーム、トレイインサート、および容器を有する。モジュール式容器システムの一部は、システム自体と同様にモジュール式であり、相互に積み重ねることができる積み重ね可能なコンポーネント、または積み重ね可能なコンポーネントの組み合わせを含む。モジュール式容器システムは、在庫システムとして使用することができる。
【００１０】
本明細書に記載の容器は、モジュール式容器システムの一部とすることができる。容器の実施形態は、子供が扱えないように構成される。開示された容器は、制御された環境における物質または材料の改善されたパッケージングおよび保管を提供し、例えば、気密、液密、水密、湿度制御、光制御、またはそれらの任意の組み合わせ環境を提供する。
【課題を解決するための手段】
【００１１】
したがって、一態様では、本発明は、モジュール式容器システムに関する。モジュール式容器システムは、トレイフレーム、トレイインサート、および１つ以上の子供が扱えない容器を備える。トレイフレームは、トレイインサートを受け入れるようにサイズ決めされて構成されている。１つ以上の子供が扱えない容器は、容器ベースおよび容器キャップを備える。いくつかの実施形態では、容器キャップは、さらに、容器キャップの内面に配置された環状シールリングを備えることができる。
【００１２】
いくつかの実施形態では、トレイインサートは、１つ以上の子供が扱えない容器を受け入れるようにサイズ決めされて構成されている。トレイインサートはまた、複数の凹部を備え、各凹部は、単一の子供が扱えない容器を受け入れるように構成されている。各凹部は、識別マークを備える。例えば、識別マークは、数字である。複数の凹部には、連続的に番号が付され、ラベルが付され、またはマークが付されている。
【００１３】
いくつかの実施形態では、トレイインサートは、例えば、１×１、２×２、３×３、４×４、５×５、６×６、７×７、８×８、９×９または１０×１０個の構成で、１、２、４、９、１６、２０、２５、３６、４２、６４、８１または１００個の凹部を有する。
【００１４】
いくつかの実施形態では、トレイインサートは、トレイインサートの第１の側に配置された第１のロック機構と、トレイインサートの第２の側に配置された第２のロック機構とを備える。第１および第２のロック機構は、トレイインサートが第２のトレイインサートと可逆的に接続するように構成されるように、雄型コネクタおよび雌型コネクタを備える。
【００１５】
いくつかの実施形態では、トレイインサートは、他のトレイインサートの上に入れ子になるように構成されている。トレイインサートはまた、実質的に全ての凹部に容器を有する他のトレイインサートの上部に積み重ねられるように構成されている。
【００１６】
いくつかの実施形態では、トレイインサートは、プラスチック、リサイクル材料、または他の適切な材料である。例えば、プラスチックは、ポリプロピレン、フッ素化エチレンプロピレン、アクリロニトリルブタジエンスチレン、ポリスチレン、耐衝撃性ポリスチレン、またはポリ塩化ビニルである。
【００１７】
他の材料または添加物がトレイインサートに追加されることができる。例えば、トレイインサートは、さらに、抗菌添加剤を含む。
【００１８】
いくつかの実施形態では、トレイフレームは、厚紙、プラスチック、ガラス、リサイクル材料、またはそれらの組み合わせから構成される。
【００１９】
いくつかの実施形態では、モジュール式容器システムは、開封明示要素を備えることができる。例えば、開封明示要素は、シール、テープ、またはそれらの組み合わせである。また、モジュール式容器システムは、ＲＦＩＤタグを備えることができる。
【００２０】
いくつかの実施形態では、トレイフレーム、トレイインサート、１つ以上の子供が扱えない容器、またはそれらの組み合わせのそれぞれは、ペン、鉛筆、またはマーカーに適合する筆記面を備えることができる。
【００２１】
いくつかの実施形態では、子供が扱えない容器は、容器ベースおよび容器キャップを備える。
【００２２】
いくつかの実施形態では、容器ベースは、閉鎖下端、開放上端、容器ベースの外面に配置された半径方向に延びるフランジ、第１のキャップ係合要素、および第２のキャップ係合要素を備え、第１および第２のキャップ係合要素は、容器ベースの外面上に、互いに反対側に、且つ開放上端とフランジとの間に配置される。
【００２３】
いくつかの実施形態では、容器ベースの第１および第２のキャップ係合要素は、それぞれ、ベース係合要素を受け入れて係合する隆起面、隆起面とフランジとの間に配置された複数のリッジ、および複数のリッジ間の少なくとも１つの溝を備える。
【００２４】
いくつかの実施形態では、隆起面は、フランジに略平行である。いくつかの実施形態では、少なくとも１つの溝は、下列のリッジからリッジを受け入れるように構成されている。
【００２５】
いくつかの実施形態では、容器ベースは、さらに、第１のキャップ係合要素と第２のキャップ係合要素との間の半径方向外面に対称的に配置された１つ以上の回転防止ロックを備える。
【００２６】
いくつかの実施形態では、容器ベースは、さらに、容器ベース内の２つ以上の区画を画定するインサートを備える。
【００２７】
いくつかの実施形態では、容器キャップは、容器キャップの内面に１つ以上のベース係合要素を備え、１つ以上のベース係合要素のそれぞれは、容器ベースの第１および第２のキャップ係合要素に係合して可逆的に結合するように構成されている。
【００２８】
容器キャップの１つ以上のベース係合要素のそれぞれは、上列リッジおよび下列リッジを備え、上列および下列リッジは、半径方向に延びるフランジ、第１のキャップ係合要素、第２のキャップ係合要素、またはそれらの組み合わせと係合するように構成されている。
【００２９】
いくつかの実施形態では、容器キャップは、１、２、３、または４つのベース係合要素を備える。
【００３０】
いくつかの実施形態では、容器ベースと容器キャップとの係合は、１つ以上のベース係合要素が第１および第２のキャップ係合要素とロック可能に固定し、閉鎖構成にある場合に実質的に子供が扱えない容器を提供することを可能にする。
【００３１】
いくつかの実施形態では、子供が扱えない容器はまた、容器ベースのキャップ係合要素の同じ側の半径方向フランジの直下の外面に配置されたグリップマーキングも備える。
【００３２】
いくつかの実施形態では、容器キャップは、さらに、キャップの上端に隆起部を備え、容器ベースは、さらに、ベースの凹床によって画定される受け部を備え、キャップの隆起部は、子供が扱えない容器が他の子供が扱えない容器に積み重ねることができるように、容器ベースの受け部と係合するように適合されている。
【００３３】
いくつかの実施形態では、容器ベースの受け部は、受け部の外縁に沿って配置された複数の積み重ね要素を備える。
【００３４】
いくつかの実施形態では、容器ベース、容器キャップ、または双方は、ポリマーを含む。例えば、ポリマーは、ポリプロピレン、ポリプロピレンコポリマー、超透明ポリプロピレン、着色ポリプロピレン、ＰＥＴ、ＰＥＴＥ、ポリカーボネート、ポリスチレン、またはそれらの組み合わせを含む。
【００３５】
いくつかの実施形態では、容器キャップは、さらに、キャップの上端の内面に配置された環状シールリングを備える。いくつかの実施形態では、子供が扱えない容器は、実質的に気密性、液密性、耐光性、耐熱性、耐湿性、耐菌性、耐タンパー性、またはそれらの組み合わせである。
【００３６】
本発明の他の態様は、容器の子供が扱えない閉鎖部に影響を及ぼす方法を含む。本方法は、容器ベースおよび容器キャップを備える子供が扱えない容器を提供することと、容器ベースの開放端上で容器キャップを摺動させることとを備え、第１および第２キャップ係合要素が、１つ以上のベース係合要素と係合して結合する。
【００３７】
いくつかの実施形態では、容器ベースは、閉鎖下端、開放上端、容器ベースの外面に配置された半径方向に延びるフランジ、第１のキャップ係合要素、および第２のキャップ係合要素を備える。
【００３８】
いくつかの実施形態では、第１および第２のキャップ係合要素は、容器ベースの外面上に、互いに反対側に、且つ開放上端とフランジとの間に配置される。
【００３９】
いくつかの実施形態では、容器キャップは、キャップの内面に１つ以上のベース係合要素を備え、１つ以上のベース係合要素のそれぞれは、ベースの少なくとも１つのキャップ係合要素に係合して可逆的に結合するように構成されている。
【００４０】
いくつかの実施形態では、容器キャップの１つ以上のベース係合要素のそれぞれは、上列リッジおよび下列リッジを備え、上列および下列リッジは、半径方向に延びるフランジ、第１のキャップ係合要素、第２のキャップ係合要素、またはそれらの組み合わせと係合するように構成されている。
【００４１】
いくつかの実施形態では、容器ベースの第１および第２のキャップ係合要素は、それぞれ、ベース係合要素を受け入れて係合する隆起面、隆起面とフランジとの間に配置された複数のリッジ、
および複数のリッジ間の少なくとも１つの溝を備え、少なくとも１つの溝が、下列リッジからリッジを受け入れるように構成されている。
【００４２】
いくつかの実施形態では、隆起面は、フランジに略平行である。
【００４３】
いくつかの実施形態では、容器キャップを容器ベースの開放端上で摺動させることは、下列リッジがキャップ係合要素の隆起面上を摺動して結合することを可能にする。いくつかの実施形態では、下列リッジからのリッジは、容器ベースの少なくとも１つの溝内に受け入れられる。
【００４４】
いくつかの実施形態では、容器の子供が扱えない閉鎖部に影響を及ぼす方法は、さらに、約２〜約６ポンドの外部圧縮力を容器ベースの両側に同時に加え、容器ベースから容器キャップを引き抜くことによって容器キャップを取り外すことを備える。
【００４５】
本発明の追加の態様は、以下の説明において部分的に説明される。本発明の効果は、添付の特許請求の範囲において特に指摘される要素および組み合わせによって実現および達成される。前述の一般的な説明および以下の詳細な説明の双方は、例示的および説明的のみであり、特許請求される本発明を限定するものではないことを理解されたい。
【００４６】
特許請求される主題の特徴および効果は、本明細書と一致する実施形態の以下の説明から明らかになり、その説明は、添付の図面と併せて考慮されるべきである。
【図面の簡単な説明】
【００４７】
【図１】チューブ容器用のトレイインサートの実施形態の斜視図を示している。
【００４８】
【図２】１５Ｄ容器用のトレイインサートの実施形態の斜視図を示している。
【００４９】
【図３】４５Ｄ容器用のトレイインサートの実施形態の斜視図を示している。
【００５０】
【図４】１４５Ｄ容器用のトレイインサートの実施形態の斜視図を示している。
【００５１】
【図５】２５Ｄ容器用のトレイインサートの実施形態の斜視図を示している。
【００５２】
【図６】図５の２５Ｄトレイインサートの実施形態の平面図を示している。
【００５３】
【図７】図５の２５Ｄトレイインサートの実施形態の底面図を示している。
【００５４】
【図８】図５の２５Ｄトレイインサートの実施形態の正面図を示している。
【００５５】
【図９】図５の２５Ｄトレイインサートの実施形態の側面図を示している。
【００５６】
【図１０】トレイフレームの実施形態における図５の２５Ｄトレイインサートの実施形態の平面図を示している。
【００５７】
【図１１】子供が扱えない容器の実施形態の側面図を示しており、子供が扱えない管（図１１Ａ）、１５Ｄ容器（図１１Ｂ）、２５Ｄ容器（図１１Ｃ）、４５Ｄ容器（図１１Ｄ）および１４５Ｄの子供が扱えないもの（ＨＥ）である。
【００５８】
【図１２】開放構成の容器ベースおよび容器キャップを有する子供が扱えないチューブ容器の実施形態の斜視図を示している。
【００５９】
【図１３】図１３Ａ〜図１３Ｆは、子供が扱えない容器の実施形態の様々な図を示している。図１３Ａは、容器ベースおよび容器キャップの分解図を示している。図１３Ｂは、閉鎖構成の容器ベースおよび容器キャップを有する子供が扱えない容器を示している。図１３Ｃおよび図１３Ｄは、閉鎖構成の容器ベースおよび容器キャップを有する子供が扱えない容器の側面図を示している。図１３Ｅは、容器ベースの底面図を示している。図１３Ｆは、容器ベースの平面図を示している。
【００６０】
【図１４】図１４Ａ〜図１４Ｂは、容器ベースの実施形態の側面図を示している。
【００６１】
【図１５】図１５Ａ〜図１５Ｃは、容器キャップの実施形態の様々な図を示している。図１５Ａは、容器キャップの実施形態の斜視図を示している。図１５Ｂは、容器キャップの実施形態の底面図を示している。図１５Ｃは、容器キャップの実施形態の平面図を示している。
【００６２】
【図１６】図１６Ａ〜図１６Ｂは、他の子供が扱えない容器の上に積み重ねられた子供が扱えない容器の実施形態の様々な図を示している。図１６Ａは、互いに積み重ねられた２つの子供が扱えない容器の斜視図である。図１６Ｂは、互いに積み重ねられた２つの子供が扱えない容器の側面図である。
【００６３】
【図１７】容器キャップの上部の容器ベースの実施形態を示している。
【００６４】
【図１８】１０×１０個の構成の子供が扱えないチューブ容器の実施形態によって充填されたトレイインサートの実施形態の斜視図を示している。
【００６５】
【図１９】６×６個の構成の子供が扱えない容器の実施形態によって充填されたトレイインサートの他の実施形態の斜視図を示している。
【００６６】
【図２０】４×４個の構成の子供が扱えない容器の他の実施形態によって部分的に充填されたトレイインサートの他の実施形態の斜視図を示している。
【００６７】
【図２１】３×３個の構成の子供が扱えない容器の他の実施形態によって充填されたトレイインサートの他の実施形態の斜視図を示している。
【００６８】
【図２２】５×５個の構成の子供が扱えない容器の他の実施形態によって充填されたトレイインサートの他の実施形態の斜視図を示している。
【００６９】
【図２３】子供が扱えない容器によって充填された他のトレイインサートに積み重ねられた子供が扱えない容器の実施形態によって充填されたトレイインサートの図２２の実施形態の斜視図を示しており、各トレイインサートは５×５個の構成である。
【００７０】
【図２４】５×５個の構成の子供が扱えない容器の実施形態によって部分的に充填されたトレイインサートの実施形態の平面図を示している。
【００７１】
【図２５】図２５Ａ〜図２５Ｃは、５×５個の構成の子供が扱えない容器の実施形態を備えたトレイインサートの実施形態の様々な側面図（図２５Ａ〜図２５Ｂ）および断面図（図２５Ｃ）を示している。
【００７２】
【図２６】他のトレイフレームの上にあるトレイフレームの実施形態の分解図を示している。
【００７３】
【図２７】他のトレイフレームの上に積み重ねられたトレイフレームの実施形態の斜視図を示している。
【００７４】
【図２８】トレイフレーム、トレイインサート、および子供が扱えない容器を有するモジュール式容器システムの実施形態の分解図を示している。
【００７５】
【図２９】トレイフレーム、トレイインサート、および子供が扱えない容器を有するモジュール式容器システムの他の実施形態の斜視図を示している。
【００７６】
【図３０】トレイフレーム、トレイインサート、および子供が扱えない容器を有するモジュール式容器システムの他の実施形態の斜視図を示している。
【００７７】
【図３１】トレイフレーム、トレイインサート、および子供が扱えない容器を有するモジュール式容器システムの他の実施形態の斜視図を示している。
【００７８】
【図３２】トレイフレーム、トレイインサート、および子供が扱えない容器を有するモジュール式容器システムの他の実施形態の斜視図を示している。
【００７９】
【図３３】トレイフレーム、トレイインサート、および子供が扱えないチューブ容器を有するモジュール式容器システムの他の実施形態の斜視図を示している。
【００８０】
【図３４】図３４Ａ〜図３４Ｄは、５つのトレイフレームを有する積み重ねられたモジュール式容器システムの実施形態の様々な図を示しており、各トレイフレームは、子供が扱えない容器の実施形態によって充填されたトレイインサートを有する。図３４Ａは、積み重ねられたモジュール式容器システムの斜視図である。図３４Ｂは、積み重ねられたモジュール式容器システムの側面図である。図３４Ｃは、積み重ねられたモジュール式容器システムの他の側面図である。図３４Ｄは、積み重ねられたモジュール式容器システムの断面図である。
【発明を実施するための形態】
【００８１】
本発明は、トレイフレーム、トレイインサート、および／または子供が扱えない容器を含むモジュール式容器システムに関する。本開示の態様はまた、保管システムおよび在庫システムも含む。他の態様は、子供が扱えない容器を使用する（例えば、子供が扱えないことを形成する、および材料を保管または保持する）方法を含む。モジュール式容器システムは、以下の本発明の詳細な説明を参照することにより、より容易に理解することができる。本発明の範囲から逸脱することなく様々な変更を行うことができることは、当業者にとって明らかであろう。
【００８２】
明細書および添付の特許請求の範囲において使用される場合、単数形「ａ」、「ａｎ」、および「ｔｈｅ」は、文脈が明確にそうでないと示さない限り、複数の指示対象を含む。したがって、例えば、「ａｎ  ｅｌｅｍｅｎｔ」への言及は、２つ以上の要素を含む。
【００８３】
本明細書では、範囲は、ある特定の値から、および／または他の特定の値までとして表すことができる。そのような範囲が表される場合、他の態様は、１つの特定の値からおよび／または他の特定の値までを含む。同様に、先行詞「約（ａｂｏｕｔ）」を使用して値が近似値として表される場合、特定の値が他の態様を形成することが理解される。さらに、各範囲のエンドポイントは、他のエンドポイントに関連して、および他のエンドポイントとは無関係に重要であることが理解される。また、本明細書に開示される多くの値があり、各値は、値自体に加えて「約（ａｂｏｕｔ）」その特定の値として本明細書に開示されることも理解される。例えば、値「１０」が開示されている場合、「約１０」も開示されている。また、２つの特定のユニット間の各ユニットも開示されていることが理解される。例えば、１０および１５が開示されている場合、１１、１２、１３、および１４も開示されている。
【００８４】
本明細書で使用される場合、用語「約（ａｂｏｕｔ）」および「においてまたは約（ａｔ  ｏｒ  ａｂｏｕｔ）」は、問題の量または値が、他の値とほぼまたはおよそ同じと指定された値とすることができることを意味する。本明細書で使用される場合、他に指示または推測されない限り、±１０％変動を示す公称値であることが一般に理解される。この用語は、同様の値が特許請求の範囲に記載された同等の結果または効果を促進することを伝えることを意図している。すなわち、量、サイズ、定式化、パラメータ、および他の量および特性は、正確ではなく、正確である必要はないが、必要に応じて、許容値、変換係数、四捨五入、測定誤差など、および当業者に知られている他の要因を反映して、近似および／またはより大きくまたはより小さくすることができることが理解される。一般に、量、サイズ、定式化、パラメータ、もしくは他の量または特性は、明示的にそうであると記載されているかどうかにかかわらず、「約（ａｂｏｕｔ）」または「およそ（ａｐｐｒｏｘｉｍａｔｅ）」である。量的値の前に「約（ａｂｏｕｔ）」が使用される場合、特に明記しない限り、パラメータはまた、特定の量的値自体も含むことが理解される。
【００８５】
本明細書で使用される場合、「第１」、「第２」、「第１部」、「第２部」などの用語は、特に明記されていない限り、いかなる順序、量、または重要性も示さず、１つの要素を他の要素と区別するために使用される。
【００８６】
本明細書で使用される場合、「任意の（ｏｐｔｉｏｎａｌ）」または「必要に応じて（ｏｐｔｉｏｎａｌｌｙ）」という用語は、後に説明するイベントまたは状況が発生することができる場合および発生することができない場合、ならびに説明が前記イベントまたは状況が発生する場合および発生しない場合を含むことを意味する。例えば、「必要に応じて表面に固定される」というフレーズは、表面に固定されることができること、または固定されることができないことを意味する。
【００８７】
さらに、特に明記しない限り、本明細書に記載のいかなる方法も、そのステップを特定の順序で実行する必要があると解釈されることを意図するものではないことを理解されたい。したがって、方法クレームが実際にそのステップにしたがうべき順序を列挙していない場合、またはステップが特定の順序に限定されることを特許請求の範囲または説明において具体的に記載していない場合、順序があらゆる点で推測されることが意図されない。これは、以下を含む、解釈のための可能な非明示的根拠にあてはまる：ステップまたは動作フローの配置に関するロジックの問題；文法的な構成または句読点に由来する明白な意味；および明細書において説明されている態様の数または種類。
【００８８】
本明細書に開示されるモジュール式容器システム、材料、および装置は、特定の機能を有することが理解される。本明細書では、開示された機能を実行するための特定の構造的要件が開示されており、開示された構造に関連する同じ機能を実行することができる様々な構造があり、これらの構造は、通常は同じ結果を達成することが理解される。
【００８９】
モジュール式容器システム
【００９０】
本明細書に記載のモジュール式容器システムは、一般に、トレイフレーム、トレイインサート、および容器を有する。モジュール式容器システムの部品またはコンポーネント、およびシステム自体は、モジュール式である。コンポーネントは、積み重ねることができる−それらは、互いに積み重ねたりまたはシステムの他のコンポーネントと組み合わせて積み重ねたりすることができる。モジュール式容器システムは、在庫システムとして使用することができる。
【００９１】
本明細書に記載の容器は、モジュール式容器システムの一部とすることができる。容器の実施形態は、子供が扱えないように構成される。開示された容器は、制御された環境における物質または材料の改善されたパッケージングおよび保管を提供し、例えば、気密、液密、水密、湿度制御、光制御、またはそれらの任意の組み合わせ環境を提供する。
【００９２】
トレイインサート
【００９３】
本開示のいくつかの態様では、モジュール式容器システムは、トレイインサートを備える。図１〜図１０を参照すると、トレイインサートは、トレイフレーム内に収まるようにサイズ決めされて構成されている（以下で詳細に説明する）。また、トレイインサートは、特に子供が扱えない容器の実施形態を収容するように構成されている（以下で詳細に説明する）。トレイインサートは、複数の種類（例えば、サイズ）の子供が扱えない容器を収容することができることも考えられる。本明細書に記載される場合、トレイインサートは、任意の数の凹部（すなわち、保持することができる子供が扱えない容器の数）を有することができる。例えば、トレイインサートは、例えば、１×１、２×２、３×３、４×４、５×５、６×６、７×７、８×８、９×９または１０×１０個の構成で、１、２、４、９、１６、２０、２５、３６、４２、６４、８１、または１００個の凹部を有する。
【００９４】
図１を参照すると、トレイインサート１００は、複数の凹部１１０を有する。各凹部１１０は、本明細書に記載の在庫方法を容易に支援する識別マーク１１１を備えることができる。例えば、識別マーク１１１は、文字、数字、または他の記号とすることができる。トレイインサート１００はまた、第１のロック機構１２０および第２のロック機構１３０を有する。各ロック機構１２０、１３０は、雄型コネクタ１２１、１３１および雌型コネクタ１２２、１３２を有する。ロック機構１２０、１３０は、トレイインサート１００の側面に配置されており、他のトレイインサート１００（または、例えば、トレイインサート２００、３００、４００、または５００）との嵌合を可能にする。ロック機構１２０、１３０は、トレイインサートが他のトレイインサートと嵌合するためにそのような位置に向けられなければならないように配置される。トレイインサート１００は、１００個の凹部１１０を有する１０×１０個の構成であり、チューブ容器の実施形態（以下で詳細に説明する）を収容するようにサイズ決めされている。
【００９５】
同様に、図２のトレイインサート２００は、それぞれ識別マーク２１１を備えた複数の凹部２１０を有する。識別マーク２１１は、各凹部２１０の底面に示された数字である。ロック機構２２０、２３０は、トレイインサート２００の両側に配置されており、他のトレイインサート１００、２００、３００、４００、または５００（図１−図５）との嵌合を可能にする。雄−雌２２１、２２２；２３１、２３２型のコネクタが示されているが、他のロックおよび接続手段を使用することができる。トレイインサート２００は、３６個の凹部２１０を有する６×６個の構成である。各凹部２１０は、子供が扱えない容器（例えば、１５Ｄ容器）の実施形態を収容するようにサイズ決めされて構成されている。
【００９６】
図３のトレイインサート３００は、子供が扱えない容器（例えば、４５Ｄ容器）の他の実施形態を収容するようにサイズ決めされた４×４個の構成を有する。図４のトレイインサート４００は、子供が扱えない容器（例えば、１４５Ｄ容器）のさらに他の実施形態を収容するようにサイズ決めされた３×３個の構成を有する。図５のトレイインサート５００は、子供が扱えない容器（例えば、２５Ｄ容器）の他の実施形態を収容するようにサイズ決めされた５×５個の構成を有する。図１〜図５は、子供が扱えない容器およびチューブ容器の様々な実施形態のために構成されたトレイインサートの様々な実施形態を示している。
しかしながら、単一のトレイインサート用の複数の種類の子供が扱えない容器を含む他の構成も可能であることも考えられる。
【００９７】
図１〜図５のトレイインサートは、全て、凹部のサイズにかかわらず、トレイインサートのいずれかとの嵌合を可能にするユニバーサルロック機構を有する。そのため、トレイインサートは、そのような嵌合を可能にするために、長さおよび／または幅が略同様または等しい。
【００９８】
図６〜図９は、図５に示されるようなトレイインサート５００の他の図を示している。識別マーク５１１は、各凹部５１０に示されている。識別マーク５１１は、数字０で始まり、左上から始まり、左から右へ、上から下へ移動し、数字２４で終わる連続した番号である。したがって、トレイインサート５００は、２５個の凹部を有する。トレイインサート５００が子供が扱えない容器によって完全に充填されると、各識別マークは、各容器によって覆われる。容器がトレイインサートから取り除かれると、識別マーク５１１が視認可能になる。容器が逆の順序（すなわち、右下から右から左、下から上に移動）で取り除かれると、残りの容器の数を容易に定量化することができる。例えば、単一の容器がトレイインサート５００から右下の位置から取り除かれると、識別マーク５１１「２４」が現れ、２４個の容器がトレイインサート５００に残っていることを人に知らせる。
【００９９】
トレイインサート５００は、深さを有する上部５４４および底部５４２を有する。各凹部５１０の深さは、トレイインサート５００の深さ以下である。
【０１００】
図１０は、モジュール式容器システム１０００の一部を形成するトレイフレーム６００内のトレイインサート５００を示している。第１および第２のロック機構５２０および５３０の雄５２１、５３１および雌５２２、５３２の部分は、トレイフレーム６００から突出している。
【０１０１】
子供が扱えない容器
【０１０２】
モジュール式容器システムの他の態様は、子供が扱えない容器およびチューブ容器である。子供が扱えない容器およびチューブ容器は、物質または材料を保管、保持および／または保存するように構成されており、子供が扱えないための機構を提供する。
【０１０３】
一般に、本明細書に記載の子供が扱えない容器は、容器ベースおよび容器キャップを備える。容器が閉鎖構成の場合、容器ベースは、容器キャップと係合する。閉鎖構成では、容器は、実質的に子供が扱えない。すなわち、子供は、容器ベースから容器キャップを取り外すことができないか、または困難な時間を過ごすことになる。
【０１０４】
容器ベースは、閉鎖下端、開放上端、および外面を有する。容器ベースを含む容器の実施形態は、形状が実質的に対称である。
【０１０５】
容器ベースは、容器の１つ以上の側面にマーキングを有することができる。マーキングは、容器ベースをつかむため、および／または容器の一方側を他方側から区別するために使用されることができる。マーキングは、例えば、容器ベースの外面から僅かに隆起することができる。ユーザは、マーキングの位置において内側に絞るか押し込み、同時に容器キャップを引き上げ、容器ベースから容器キャップを取り外す。
【０１０６】
半径方向に延びるフランジは、容器ベースの一部である。フランジは、容器ベースを下体部分および上首部分に構造的に分離する。フランジは、容器ベースの上端付近に平行に配置される。フランジは、容器の子供が扱えないことを追加する（例えば、子供がキャップの下に入れたり、爪／歯を使用してこじ開けたりするのを防ぐため）。絞り力を均等に拡散し、キャップとベースとを分離するために、容器キャップの特定の領域の周囲のフランジ構造と力の比率を維持し、キャップがシールを過度に圧縮することを防ぐ。フランジの力と保持特徴の組み合わせは、適切な量の圧縮を形成する。
【０１０７】
容器キャップは、外面および内面を有する。容器キャップはまた、開放下端（容器ベースの受け端）および閉鎖上端も有する。容器キャップの上端には、肩部、傾斜部、および隆起部がある。肩部、傾斜部、および隆起部は、容器キャップの上部に容器ベースを積み重ねることを可能にし（例えば、容器は自己積み重ね可能）、トレイインサートまたはトレイフレームが容器キャップの上部に積み重ねることを可能にする。容器キャップは、内面および／または外面にマーキングを有することができる。
【０１０８】
容器キャップは、キャップの上端またはその近くの内面に環状シール（例えば、Ｏリング）を有することができる。環状シールは、容器環境と外部環境との間の障壁を提供するのに役立つことができる。容器に保管される材料は、空気、水、酸素、光、ＵＶ、温度、細菌、またはそれらの組み合わせに感受性があることができる。
【０１０９】
容器キャップは、１つ以上のベース係合要素を有する。各ベース係合要素は、容器キャップの内面、例えば容器キャップの４つの側面の一部または全てに配置される。各ベース係合要素は、１つ以上の列のリッジを備え、各列は、複数（例えば、２、３、４、５、６、７、８、９、１０またはそれ以上）のリッジを備える。
【０１１０】
リッジは、上列リッジおよび下列リッジとして配置されることができる。２列のリッジの間に空間がある。リッジは、僅かに傾斜するように成形されている。リッジは、摺動してキャップ係合要素の溝に嵌合するようにサイズ決めされて構成されている。
【０１１１】
容器の子供が扱えない特徴は、容器ベースと容器キャップの係合に関連している。１つ以上のキャップ係合要素は、容器ベースの一部である。キャップ係合要素は、隆起面または棚から構成されている。隆起面は、容器ベースの上端付近に平行に配置される。半径方向に延びるフランジの直上で且つ隆起面の下には、長手方向に延びるリッジまたは傾斜部がある。リッジは、隆起面またはその近くからフランジまで延びている。溝が２つのリッジ間に形成されている（すなわち、リッジ間の空間が溝である）。リッジおよび溝は、容器ベースとの密接嵌合に加えて、容器キャップのガイドおよび位置合わせを提供する。キャップ係合要素は、容器キャップが容器ベースから容易に取り外されたり、不適切に取り外されたりすることを防ぐ。一般に、キャップ係合要素は、容器ベースの両側の２つの位置にある。しかしながら、単一のキャップ係合要素が容器ベース上にあることができ（例えば、チューブ容器用）、または３つ以上のキャップ係合要素が容器ベース上にあることができる。
【０１１２】
図１１Ａ〜図１１Ｅは、本明細書に記載の子供が扱えない容器およびチューブ容器の様々な実施形態を示している。子供が扱えないチューブ容器１１００および容器１１１０、１１２０、１１３０、および１１４０は、形状およびサイズが様々である。容器１１００、１１１０、１１２０、１１３０、および１１４０のそれぞれは、一致するトレイインサートに適合するサイズとされる（図１〜図９を参照）。本明細書に記載の容器は、それ自体の上に積み重ね可能であり（例えば、図１６Ａ）、それらを子供が扱えないようにする特徴を有する。他の特徴は、上記に照らして容易に明らかであろう。
【０１１３】
図１２の子供が扱えないチューブ容器１５００は、容器ベース１５２０および容器キャップ１５１０を有する。容器キャップ１５１０は、ヒンジ１５６０を介して容器ベース１５２０に取り付けられている。容器キャップ１５１０は、容器キャップ１５１０の内側または内面１５０４にベース係合要素１５０５を有する。ベース係合要素１５０５は、容器ベース１５２０上のキャップ係合要素１５３０と嵌合または係合することができる。
【０１１４】
容器ベースは、外面１５２４、開放上端１５２２、および閉鎖下端１５２１を有し、下端１５２１は、容器キャップを受け入れるための受け部として作用する。キャップ係合要素１５３０は、上端１５２２とフランジ１５２３との間の容器ベース１５２０の外面１５２４に配置される。半径方向に延びるフランジ１５２３は、容器キャップが容器ベース上にあるときに物理的停止部として作用する。外面１５２４上のテクスチャまたはグリップマーキング１５４０およびテキスト１５４１は、ユーザがチューブ容器１５００を開閉するのに役立つ。
【０１１５】
図１３Ａ〜図１３Ｄの子供が扱えない容器１６００は、本明細書に記載の容器の他の実施形態である。容器キャップ１６１０は、隆起面または隆起部１６０１と、肩部１６０３まで傾斜する傾斜部１６０２とを有する。隆起部１６０１、傾斜部１６０２、および肩部１６０３のそれぞれは、容器キャップ１６１０の閉鎖上端を画定する。
【０１１６】
容器ベース１６２０は、開放上端１６２２、閉鎖下端１６２１、外面１６２４に配置された半径方向に延びるフランジ１６２３を有する。容器ベース１６２０はまた、第１のキャップ係合要素１６３０Ａおよび第２のキャップ係合要素１６３０Ｂ（図１３Ｆ）を有する。キャップ係合要素１６３０Ａ、１６３０Ｂは、容器ベース１６２０の外面１６２４上、容器ベースの両側、および開放上端１６２２とフランジ１６２３との間に配置される。キャップ係合要素１６３０Ａ、１６３０Ｂは、それぞれ、フランジ１６２３と略平行な隆起面、隆起面とフランジ１６２３との間に配置された複数のリッジを有し、リッジは、リッジ間に少なくとも１つの溝を形成する。少なくとも１つの溝は、容器キャップ１６１０の内面上の下列リッジからリッジを受け入れるようにサイズ決めされている。容器ベースはまた、キャップ係合要素１６３０Ａ、１６３０Ｂから容器ベースの隣接する側面の外面１６２４上に対称的且つ半径方向に配置され、フランジ１６２３の周りから延びる１つ以上の回転防止ロック１６５０Ａおよび１６５０Ｂも有する。容器ベース１６２０はまた、キャップ係合要素１６３０と回転防止ロック１６５０との間の外面１６２４上に対称的且つ半径方向に配置された傾斜部１６６０を有する。傾斜部１６６０は、容器キャップ１６１０を容器ベース１６２０に位置合わせるのに役立つ。容器ベース１６２０はまた、容器を開放する方法および場所をユーザに指示するグリップマーキング１６４０および／またはテキスト１６４１も有することができる。
【０１１７】
容器ベース１６２０は、１６１０（図１３Ｅ）などの容器キャップの上部に配置されたときに容器ベース１６２０を固定するのに役立つ１つ以上の突起１６７０も有する。容器ベース１６２０は、閉鎖下端１６２１に凹床を有し、他の容器を固定して嵌合することを可能にする。
【０１１８】
図１４Ａおよび図１４Ｂは、容器ベース２２００の実施形態の追加の特徴を示している。容器ベース２２００は、閉鎖下端２２２１、開放上端２２２２、半径方向に延びるフランジ２２２３、および外面２２２４を有する。容器ベース２２００はまた、フランジ２２２３と開放端２２２２との間の容器ベースの両側の外面上に配置されたキャップ係合要素２２３０も有する。グリップマーキング２２４０およびテキスト２２４１は、キャップ係合要素２２３０の同じ側のフランジ２２２３の直下に位置している。
【０１１９】
図１５Ａおよび図１５Ｂは、容器キャップ２４００の内部図を示している。容器キャップ２４００は、外面２４０６および内（内部）面２４０７を有する。内面２４０７には、１つ以上のベース係合要素２４０１が配置されている。１つ以上のベース係合要素２４０１は、上列リッジ２４０３および下列リッジ２４０２（容器ベース上に配向された場合のキャップに対する各列）を備え、リッジの各列は、１つ以上のリッジを有する。ベース係合要素２４０１Ａ、２４０１Ｂ、２４０１Ｃ、および２４０１Ｄは、容器キャップ２４００の内面２４０７の周りに周方向に配置される。１つ以上のベース係合要素は、第１および第２のキャップ係合要素（例えば、図１４Ｂの２２３０）にロック可能に固定され、閉鎖構成にあるときに子供が扱えない容器を提供する。
【０１２０】
図１５Ｃは、隆起部２４０１、傾斜部２４０２および肩部２４０３を有する容器キャップ２４００の平面図である。
【０１２１】
本明細書に記載の子供が扱えない容器は、図１６Ａに示すように積み重ね可能である。すなわち、容器キャップ２７１０および容器ベース２７２０を有する１つの容器２７００は、容器キャップ２７１０および容器ベース２７２０を有する他の容器の上に積み重ねることができる。１つの容器２７００からの容器キャップ２７１０の隆起部２７０１は、容器ベース２７２０の閉鎖下端２７２１の凹床によって画定される受け部の内側に着座するように構成されている。子供が扱えない容器およびチューブ容器は、それぞれ、自己積み重ねを可能にするように同様の構成を有する。図１１Ａ〜図１１Ｅを参照されたい。
【０１２２】
同様に、図１７は、容器ベース２９２０の下端に入れ子になった容器キャップ２９１０を示している。隆起部（図示せず）および傾斜部（図示せず）は、ベース２９２０の凹床内に入れ子になっている。容器ベース２９２０の下端は、容器キャップ２９１０の肩部２９３０に載っている。
【０１２３】
本明細書に記載されるように、容器キャップは、容器ベースと関連付けるように構成されている。容器ベースは、材料を入れるための筐体を形成し、容器キャップは、ベースの開放上端を囲んでいる。容器ベースおよび容器キャップは、プラスチック、プラスチック複合材、強化プラスチック、金属、金属複合材、共重合ポリプロピレン、超透明ポリプロピレン、着色ＰＰ、ＰＥＴ、ＰＥＴＥ、ＰＳ、ＰＣ、ガラスまたはそれらの組み合わせから構成されることができる。容器ベース、容器キャップは、例えば、以下に列挙する材料のいずれかの組み合わせから調製されることができる：ポリプロピレン、高密度ポリエチレン、ポリスチレン、ポリテトラフルオロエチレン、ポリ塩化ビニル（ＰＶＣ）、ポリクロロトリフルオロエチレン、フェノール−ホルムアルデヒド樹脂、パラアラミド、ポリエチレンテレフタレート、ポリクロロプレン、ポリアミド、ポリアクリロニトリル、コポリアミド、芳香族ポリエステル、ポリ−ｐ−フェニレン−２，６−ベンゾビスオキサゾール、ガラス、プレキシガラス、樹脂、木材、ゴム、エラストマーゴム、熱可塑性エラストマー、シリコン、フッ素化エテレンプロプレン、加硫ゴム、金属。
【０１２４】
トレイインサートおよび容器
【０１２５】
上述したように、モジュール式容器システムは、それぞれ詳細に上述したトレイインサートおよび子供が扱えない容器を備える。図１８〜図２２は、トレイインサート（３１２０、３２２０、３３２０、３４２０および３５２０）および子供が扱えない容器（３１１０、３２１０、３３１０、３４１０および３５１０）の様々な実施形態を示している。例えば、図２０を参照すると、トレイインサート３２２０が容器３２１０によって完全に充填されていない場合、凹部３２２３のマーキングは、トレイインサート３２２０に残っている容器３２１０の数を識別する。「１２」がユーザに視認可能であるため、１２個の容器がトレイインサート３２２０に残っている。他の番号付けまたはラベル付けスキームもまた、同じ結果を達成するために、すなわち、残りの容器、あるいは不足している容器の数を迅速に且つ容易に判定するために使用されることができる。
【０１２６】
モジュール式容器システムの他の態様は、容器を備えたトレイインサートを、容器を備えた他のトレイインサートの上に積み重ねることを可能にする。図２３を参照すると、２つのトレイインサート／容器「ユニット」の積み重ねが示されている。図２３は、同様の容器およびトレイインサートの積み重ねを示しているが、本明細書に開示されるトレイインサートおよび子供が扱えない容器の実施形態は、他の実施形態に積み重ねることができる。
【０１２７】
図２４は、子供が扱えない容器３６３０によって部分的に充填されたトレイインサート３６２０の平面図である。容器３６２０は、凹部３６１０にしっかりと嵌合し、これにより、容器がトレイインサート３６２０内で移動または摺動することを防止する。識別マーク３６１１は、トレイインサート３６２０に残っている容器３６３０の数を判定するのに役立つ。トレイインサート３６２０は、２対のロック機構３６２１、３６２２を有する。雄型ロック機構３６２１および雌型ロック機構３６２２は、トレイインサート３６２０の両側に配置されている。ロック機構の配置は、１つのトレイインサート上の雄部３６２１が他のトレイインサート上の雌部３６２２に嵌合するように、複数のインサートトレイが並設配置で一体にロックすることを可能にする。
【０１２８】
図２５Ａ〜図２５Ｃは、子供が扱えない容器３７１０Ａ−Ｅを有するトレイインサート／子供が扱えない容器の組み合わせ３７００の側面図である。ロック機構３７２１、３７２１が図２５Ｂに示されている。組み合わせ３７００の断面側面図が図２５Ｃに示されている。容器キャップのリッジの列３７０１は、上列３７０２および下列３７０３を備える。下列３７０３は、キャップ係合要素３７３０と係合して、実質的に子供が扱えない閉鎖容器を提供する。容器キャップは、隆起部３７１１、傾斜部３７１２、および肩部３７１３を有する。
【０１２９】
トレイフレーム
【０１３０】
モジュール式容器システムの他の部分は、図２６および図２７に示すトレイフレームである。トレイフレーム５０１０は、トレイフレーム５０００の積み重ねを形成する他のトレイフレーム５０２０内に入れ子になるようにサイズ決めされて構成されている。各トレイフレーム５０１０、５０２０は、トレイの側面に配置された１つ以上のスロット５０１１、５０１２、５０２１、５０２２を有する。スロットは、トレイインサートのロック機構がトレイフレームから突出することを可能にするようにサイズ決めされている。フレーム５０１０のスロット５０１１は、トレイインサート上のロック機構の雄コネクタがトレイフレームから突出することができるサイズとされる。フレーム５０１０のスロット５０１２は、トレイインサートのロック機構の雌コネクタがトレイフレームから突出することができるサイズとされる。スロット５０１１および５０１２は、トレイインサートの第１および第２のロック機構に対応して、トレイフレームの左側および右側に配置されている。
【０１３１】
図２７は、トレイフレーム５１００の積み重ねを形成する、互いに入れ子になっているトレイフレーム５１１０および５１２０を示している。保管または他の用途のために、任意の数のトレイフレームを積み重ねることができる。ノッチ５１２５は、複数のトレイフレームが全て同じ方向および向きに揃うようにトレイフレームの正しい向きを提供する。
【０１３２】
トレイフレームはまた、トレイフレームの底部に丸い脚部または角部（図３４Ｂ、４０９１を参照）も有する。角部４０９１は、それぞれ、容器のサイズ（１５Ｄ、２５Ｄ、４５Ｄ、または１４５Ｄなど）にかかわらず、子供が扱えない容器キャップの外径とロックまたは嵌合することができるように、丸みを帯びた縁を有する。トレイフレーム脚部４０９１は、容器の上に置かれたときにトレイフレームが摺動したりまたは移動したりしないように構成されている。
【０１３３】
本開示は、複数のトレイインサートにユニバーサルに嵌合する単一のトレイフレームを備える。トレイインサートは、同様の寸法を有するが、保持している容器種類に固有のものである。他の実施形態は、単一のユニットとして形成されたトレイフレームおよびトレイインサートを有することを含む。
【０１３４】
他のコンポーネント
【０１３５】
モジュール式容器システムは、開封明示要素を含むことができる。開封明示要素は、トレイインサート、トレイフレーム、および／または子供が扱えない容器に見ることができる。
例えば、開封明示要素は、分離可能なコンポーネントである。分離可能なコンポーネントは、シール、テープ、またはそれらの組み合わせを備えることができる。
【０１３６】
モジュール式容器保管システムは、さらに、製品識別、製造者のメモ、ＲＦＩＤタグ、ＮＦＣタグ、バーコード、またはそれらの組み合わせを備えることができる。
【０１３７】
いくつかの態様では、モジュール式容器システムの部品は、さらに、ペン、鉛筆、またはマーカーと互換性のある筆記面を備える。いくつかの態様では、モジュール式容器システムは、さらに、残留物を残すことなくステッカーおよびラベルを容易に除去するための特殊材料または表面用途に利用可能な空間を備える。
【０１３８】
いくつかの態様では、モジュール式容器保管システムは、さらに、１つ以上のセンサを備える。例えば、環境センサ（湿度センサ、酸素センサ、温度センサ、気圧センサ、光センサなど）、ジャイロスコープ、加速度計、ＧＰＳセンサ、磁力計、近接センサ、指紋センサ、および網膜センサなど、任意のセンサがモジュール式容器保管システムにおいて使用されることができる。
【０１３９】
使用および保管方法
【０１４０】
本開示は、材料をパッケージングおよび／または保管する方法に関する。パッケージングの方法は、子供が扱えない容器を有するモジュール式容器システムを提供することと、材料を容器に導入することとを備える。本方法は、子供が扱えない容器を１つ以上のトレイインサートに追加し、次に１つ以上のトレイインサートをトレイフレームに追加することを含む。
【０１４１】
パッケージングされる材料は、１つ以上の環境要因に感受性がある材料とすることができる。感受性は、これらに限定されるものではないが、空気、水、酸素、光、ＵＶ、温度、細菌、またはそれらの組み合わせを含む。例えば、材料は、医薬品、栄養補助食品、ハーブ材料、植物材料、食品、動物ベースの製品、植物ベースの製品などである。したがって、モジュール式容器システムの一部または全ては、実質的に気密シール、液密シール、またはその双方を形成する。
【０１４２】
キャップ係合要素およびベース係合要素は、ベースの開放端がキャップによって覆われた開放空洞へのアクセスを禁止する閉鎖位置において、容器キャップを容器ベースに解放可能に固定するロック位置において協働して係合するように構成されている。容器キャップを容器ベースに固定することは、以下のステップを備える：容器の長軸に沿って容器ベースの開放端上で容器キャップを摺動させて押し込むこと。容器は、以下によってロックされる：可聴ノイズおよび触覚スナップが聞こえるまで、容器ベースの隆起面上でキャップを摺動させて押し込むこと。換言すれば、容器キャップの側面は、容器キャップの内側の複数のリッジの一端が隆起面を押圧するように、隆起面の障害を克服するのに十分な力で押された後、確実なベース−キャップの係合に落ち着かなければならない。同時に、１つ以上のリッジは、容器ベースのキャップ係合要素の溝内に留まるかまたは嵌合し、容器ベースの１つ以上のリッジは、容器キャップのリッジ間に留まることができる。これは、容器キャップのベース係合要素と容器ベースのキャップ係合要素との確実な結合を形成する。内容物にアクセスしたり容器を使用したりする際の苦労や複雑さを増すために、追加の溝およびリッジを含めることができる。
【０１４３】
いくつかの実施形態では、ベース係合要素とキャップ係合要素の完全な結合は、キャップがベースに固定され、それによって収容された要素が子供が扱えない容器に固定されていることを操作者に知らせる音響信号、スナップ音を放出するように設計されている。
【０１４４】
適用される力の部位および方向に対応する視覚信号が容器の表面に提供される。例えば、キャップ係合要素を有する容器ベースの側面を指定するグリップ用のマーキングが容器ベースの表面に提供される。通常は反対側ではなく、キャップ係合要素を含む側に隣接するキャップに、第２のマーキングが提供される。それは、容器ベースが他の手で保持されながら、キャップをベースから分離するために容器キャップに引っ張り力を加えることに対応する。
【０１４５】
閉鎖容器から内容物にアクセスするために、ベースの２つの両側面に半径方向内側に所定量の圧縮力を加える必要がある。キャップ係合要素を有するベースの２つの両側面を指で押圧し、グリップマークによってマークされ、圧縮軸に沿ってベースの第１の幅を第２の幅まで弾性的に縮小し、キャップ係合要素をベース係合要素から解放する。これは、キャップの側面の隆起面の圧力からキャップを解放する。一態様では、キャップ係合要素に隣接する対向するキャップ側の位置に所定量の力を加えることができる。マーキングは、容器を開くために圧縮力を加えるための側面の視覚的インジケータを構成する。容器ベースおよび容器キャップを容器の長手方向軸に沿って互いから軸方向に引っ張ることにより、容器キャップおよび容器ベースを閉鎖位置から切り離すことができる。引っ張りは、係合要素がロック解除位置になった後に発生することができる。所定量の力は、約１ポンド〜約９ポンドの間、または約２ポンド〜約８ポンドの間、約２ポンド〜約６ポンドの間、または３ポンド〜５ポンドの間である。所定量の力は、少なくとも約４ポンドである。
【０１４６】
キャップ係合要素およびベース係合要素は、容器の開放空洞にアクセス可能であるように、容器キャップおよび容器ベースを閉鎖位置から開放位置に切り離すことができるロック位置からロック解除位置に外れるように構成されることができる。ロック位置からロック解除位置への変更は、圧縮軸に沿ってベースの第１の幅を第２の幅まで弾性的に減少させるために、ベースの２つの両側面に半径方向内側に所定量の圧縮力を加えることによって達成され、第２の幅は、第１の幅よりも僅かに小さい。いくつかの態様では、所定量の力は、対向するベース側の位置に加えられることができ、ベースの少なくとも一方側は、キャップ係合要素を備える。キャップおよびベースは、ベースの２つの両側面に所定の圧縮力を同時に加えることにより、容器の長手方向軸に沿ってキャップを引き離すことにより、閉鎖位置から切り離すことができ、２つの両側面のうちの少なくとも一方は、キャップ係合要素を備え、長手方向軸に沿ってベースからキャップを引き離す。さらに他の態様では、キャップは、拡張軸に平行な位置に対応するキャップ側面を使用して引っ張ることができる。いくつかの態様では、減少は、第１の幅から第２の幅までであり、第２の幅は、第１の幅よりも小さく、第２の幅は、圧力を解放すると弾性的に第１の幅まで拡張する。
【０１４７】
本開示は、様々な態様において、使用が制限された物質を保管するための容器および装置に関する。消費者製品安全委員会（ＣＳＰＣ、ｗｗｗ．ｃｓｐｃ．ｇｏｖ）は、特別な子供が扱えない且つ高齢者に優しいパッケージング（ＣＲＰ）のためのパッケージング薬および他の規制物質のガイダンスを提供する。ＣＳＰＣはまた、１９７０年の毒物防止パッケージング法（ＰＰＰＡ）、１５  Ｕ．Ｓ．Ｃ．１４７１−１４７６条も管理している。この用途において意図されるように使用が制限されている物質は、これらに限定されるものではないが、タバコ、医薬品または連邦規制物質、栄養補助食品またはビタミンを含む。この物質は、環境暴露に感受性がある可能性があり、例えば、医薬品、ハーブ製品、植物製品など、暴露時に腐敗、分解、望ましい特性の喪失を起こしやすい。本発明の容器に保存するための物質は、これらに限定されるものではないが、アメリカ合衆国の薬物規制当局による規制物質法（ＣＳＡ）のスケジュールＩ、ＩＩ、ＩＩＩ、またはスケジュールＩＶ（ｈｔｔｐｓ：／／ｗｗｗ．ｄｅａ．ｇｏｖ／ｄｒｕｇｉｎｆｏ／ｄｓ．ｓｈｔｍｌ）に分類される１つ以上の成分または薬物を含むことができる：投与単位あたり１５ミリグラム未満のヒドロコドン（Ｖｉｃｏｄｉｎ）、コカイン、メタンフェタミン、メタドン、ヒドロモルフォン（Ｄｉｌａｕｄｉｄ）、メペリジン（Ｄｅｍｅｒｏｌ）、オキシコドン（ＯｘｙＣｏｎｔｉｎ）、フェンタニル、デキセドリン、アデロール、およびリタリンを有する合成製品；投与単位あたり９０ミリグラム未満のコデイン（コデインを含むタイレノール）、ケタミン、同化ステロイド、テストステロンを含む製品；またはザナックス、ソーマ、ダーボン、ダーボセット、バリウム、アティバン、タルウィン、アンビエン、トラマドールを含む製品。
【０１４８】
本開示は、材料を子供が扱えない容器に保管する方法を提供する。本方法は、キャップ係合要素を有する容器ベースと、ベース係合要素を有する容器キャップとを備える子供が扱えない容器を提供することであって、キャップ係合要素は、ベース係合要素に協働して可逆的に係合するように構成されることと、ベースに材料を導入することと、ベース上にキャップを固定することとを含み、キャップ係合要素は、ベース係合要素に係合して結合し、子供が扱えない容器を形成する。
【０１４９】
図２８〜図３４Ｃは、トレイフレーム、トレイインサート、および１つ以上の子供が扱えない容器を有するモジュール式容器システムの様々な実施形態を示している。例えば、図２８は、子供が扱えない容器４９１０、トレイインサート４９２０、およびトレイフレーム４９３０の分解図である。本明細書で開示されるように、トレイインサート４９２０は、特定のサイズの容器４９１０に対応する。トレイインサート４９２０は、５×５個の構成であるため、２５個の容器４９１０を保持することができる。
【０１５０】
図２９は、トレイフレーム４４３０、トレイインサート４４２０、および複数の容器４４１０を有するモジュール式容器システム４４００の実施形態を示している。トレイインサート４４２０は、３６個の容器４４１０を保持することができる６×６個の構成である。トレイインサート４４２０は、それぞれ識別数字マーク４４２２を備えた複数の凹部４４２１を有する。トレイインサート４４２０の第１のロック機構の雄コネクタ４４２３および雌コネクタ４４２４は、トレイフレーム４４３０のスロットから突出している。
【０１５１】
図３０は、トレイフレーム４５３０、トレイインサート４５２０、および複数の容器４５１０を有するモジュール式容器システム４５００の他の実施形態を示している。トレイインサート４５２０は、２５個の容器４５１０を保持することができる５×５個の構成である。図３１は、トレイフレーム４６３０、トレイインサート４６２０、および複数の容器４６１０を有するモジュール式容器システム４６００の他の実施形態を示している。トレイインサート４６２０は、１６個の容器４６１０を保持することができる４×４個の構成である。図３２は、トレイフレーム４７３０、トレイインサート４７２０、および複数の容器４７１０を有するモジュール式容器システム４７００の他の実施形態を示している。トレイインサート４７２０は、９つの容器４７１０を保持することができる３×３個の構成である。図３３は、トレイフレーム４８３０、トレイインサート４８２０、および複数のチューブ容器４８１０を有するモジュール式容器システム４８００の他の実施形態を示している。トレイインサート４８２０は、１００個のチューブ容器４８１０を保持することができる１０×１０個の構成である。
【０１５２】
図３４Ａ〜図３４Ｄは、モジュール式容器システムの実施形態の様々な図を示している。図３４Ａは、それぞれがトレイインサートおよび容器４０１０、４０２０、４０３０、４０４０および４０５０を有するトレイフレーム４０６０の積み重ねの斜視図である。トレイフレーム、トレイインサート、および容器サブユニットの積み重ねまたは配置は、システムにいかなる影響も与えず、任意の順序とすることができる。図３４Ｂ〜図３４Ｃは、トレイフレーム４０６０が、トレイフレームを保持または運ぶために使用することができるリップ４０６１を有することを示している。トレイフレームロック機構４０７１、４０７２の一部は、トレイフレームから突出している。図３４Ｄは、モジュール式容器システムの実施形態の断面図である。
【０１５３】
モジュール式容器システムの製造方法
【０１５４】
これらに限定されるものではないが、トレイインサート、子供が扱えない容器、子供が扱えないチューブ容器、およびトレイフレームを含む本明細書に記載のコンポーネントは、プラスチックまたは任意の他の適切な材料から形成されることができる。例えば、モジュール式容器システムのコンポーネントのいずれかは、プラスチック、厚紙、リサイクル材料、ガラス、金属、金属合金、それらの組み合わせ、または他の適切な材料とすることができる。例えば、適切なプラスチックは、これらに限定されるものではないが、ポリプロピレン、ポリプロピレンコポリマー、超透明ポリプロピレン、着色ポリプロピレン、ＰＥＴ、ＰＥＴＥフッ素化エチレンプロピレン、アクリロニトリルブタジエンスチレン、ポリスチレン、耐衝撃性ポリスチレン、ポリ塩化ビニル、またはそれらの組み合わせを含む。
【０１５５】
他の材料または添加剤をコンポーネントのいずれかに追加することができる（例えば、トレイインサート、子供が扱えない容器、トレイフレーム）。例えば、抗菌添加剤を追加することができる。他の添加剤は、オキソ分解性添加剤、生分解性材料基質添加剤、耐紫外線添加剤、帯電防止添加剤を含むことができる。
【０１５６】
容器ベースおよび／または容器キャップなどのモジュール式容器システムの一部は、耐紫外線性または遮断性の材料を有する。容器ベースおよび／または容器キャップは、完全な不透明性を備えた材料から構成されている。本明細書では、完全な不透明度または不透明材料は、１００％の不透明度を呈するものとして説明されており、材料は光不透過性である。特定の態様では、ベースまたはキャップまたは双方は、完全な不透明度よりも低い不透明度を有する材料から構成される。そのような材料は、８０％、７０％、６０％、５０％、４０％、３０％、２０％、１０％もしくは０％の不透明度、またはその間の任意の範囲を有する特徴を含むことができる。特定の実施形態では、容器キャップおよび／またはベースは、完全に不透明であり、光防護性である。いくつかの態様では、容器キャップおよび／またはベースは、透明であり、不透明度は１００％未満である。いくつかの態様では、容器キャップおよび／またはベースは、透明であり、不透明度は約１０％またはおよそ０％である。
【０１５７】
様々な態様では、容器キャップおよび／または容器ベースなどのモジュール式容器システムの一部は、取り外し可能なスリーブによって保護される。取り外し可能なスリーブは、不透明にすることができる。取り外し可能なスリーブは、耐ＵＶ性とすることができる。いくつかの態様では、取り外し可能なスリーブは、耐湿性である。いくつかの態様では、取り外し可能なスリーブは、光不透過性である。いくつかの態様では、取り外し可能なスリーブは、製品識別、セキュリティ通知、またはそれらの任意の組み合わせのための表面マーキングを備える。
【０１５８】
プラスチックは、射出成形、熱成形、真空成形、または所望の機能性を達成するために本明細書に記載のコンポーネントを製造するのに適した任意の方法で製造されることができる。
【０１５９】
本明細書に引用された全ての特許、公開された特許出願および参考文献の教示は、その全体が参照により組み込まれる。
【０１６０】
本発明は、その例示的な実施形態を参照して特に示されて説明されたが、添付の特許請求の範囲に含まれる本発明の範囲から逸脱することなく、形態および詳細の様々な変更がなされ得ることが当業者によって理解される。
本発明は、以下の［１］〜［３８］の態様を含む。
［１］
モジュール式容器システムにおいて、
トレイフレームと、
トレイインサートであって、前記トレイフレームが前記トレイインサートを受け入れるようにサイズ決めされて構成されている、トレイインサートと、
１つ以上の子供が扱えない容器とを備え、
前記トレイインサートが、前記１つ以上の子供が扱えない容器を受け入れるようにサイズ決めされて構成されており、
前記１つ以上の子供が扱えない容器が、容器ベースおよび容器キャップを備える、モジュール式容器システム。
［２］
前記トレイインサートが、複数の凹部を備え、各凹部が、単一の子供が扱えない容器を受け入れるように構成されている、［１］に記載のモジュール式容器システム。
［３］
各凹部が識別マークを含む、［２］に記載のモジュール式容器システム。
［４］
前記識別マークが数字である、［３］に記載のモジュール式容器システム。
［５］
前記複数の凹部には、連続的に番号が付されている、［４］に記載のモジュール式容器システム。
［６］
前記トレイインサートが、２、４、９、１６、２０、２５、３６、４０または１００個の凹部を有する、［２］に記載のモジュール式容器システム。
［７］
前記トレイインサートが、他のトレイインサートの上に入れ子になるように構成されている、［６］に記載のモジュール式容器システム。
［８］
前記トレイインサートが、前記凹部の実質的に全てに容器を有する他のトレイインサートの上に積み重ねられるように構成されている、［７］に記載のモジュール式容器システム。
［９］
前記トレイインサートがプラスチックを含む、［１］に記載のモジュール式容器システム。
［１０］
前記プラスチックが、ポリプロピレン、フッ素化エチレンプロピレン、アクリロニトリルブタジエンスチレン、ポリスチレン、耐衝撃性ポリスチレン、またはポリ塩化ビニルからなる群から選択される、［９］に記載のモジュール式容器システム。
［１１］
前記トレイインサートが、さらに、抗菌添加剤を含む、［１０］に記載のモジュール式容器システム。
［１２］
前記容器キャップが、前記容器キャップの内面に配置された環状シールリングを備える、［１］に記載のモジュール式容器システム。
［１３］
前記トレイインサートが、前記トレイインサートの第１の側に配置された第１のロック機構と、前記トレイインサートの第２の側に配置された第２のロック機構とを備える、［１］に記載のモジュール式容器システム。
［１４］
前記トレイインサートが第２のトレイインサートと可逆的に接続するように構成されるように、前記第１および第２のロック機構が雄コネクタおよび雌コネクタを備える、［１３］に記載のモジュール式容器システム。
［１５］
前記トレイフレームが、厚紙、プラスチック、ガラス、またはそれらの組み合わせを備える、［１］に記載のモジュール式容器システム。
［１６］
さらに、開封明示要素を備える、［１］に記載のモジュール式容器システム。
［１７］
前記開封明示要素が、シール、テープ、またはそれらの組み合わせである、［１６］に記載のモジュール式容器システム。
［１８］
さらに、ＲＦＩＤタグを備える、［１］に記載のモジュール式容器システム。
［１９］
前記トレイフレーム、前記トレイインサート、前記１つ以上の子供が扱えない容器、またはそれらの組み合わせが、さらに、ペン、鉛筆、またはマーカーに適合する筆記面を備える、［１］に記載のモジュール式容器システム。
［２０］
子供が扱えない容器において、
閉鎖下端、開放上端、容器ベースの外面に配置された半径方向に延びるフランジ、第１のキャップ係合要素、および第２のキャップ係合要素を備える容器ベースであって、前記第１および第２のキャップ係合要素が、前記容器ベースの前記外面上に、互いに反対側で且つ前記開放上端と前記フランジとの間に配置される、容器ベースと、
容器キャップの内面に１つ以上のベース係合要素を含む容器キャップであって、前記１つ以上のベース係合要素のそれぞれが、前記容器ベースの前記第１および第２のキャップ係合要素に係合して可逆的に結合するように構成されている、容器キャップとを備える、子供が扱えない容器。
［２１］
前記容器キャップの前記１つ以上のベース係合要素のそれぞれが、上列リッジおよび下列リッジを備え、前記上列および下列リッジが、前記半径方向に延びるフランジ、前記第１のキャップ係合要素、前記第２のキャップ係合要素、またはそれらの組み合わせと係合するように構成されている、［２０］に記載の子供が扱えない容器。
［２２］
前記容器ベースの前記第１および第２のキャップ係合要素が、それぞれ、
前記ベース係合要素を受け入れて係合する隆起面であって、前記フランジに略平行である隆起面と、
前記隆起面と前記フランジとの間に配置された複数のリッジと、前記複数のリッジ間の少なくとも１つの溝とを備え、前記少なくとも１つの溝が、前記下列リッジからリッジを受け入れるように構成されている、［２１］に記載の子供が扱えない容器。
［２３］
前記容器ベースと前記容器キャップとの係合が、前記１つ以上のベース係合要素が前記第１および第２のキャップ係合要素とロック可能に固定し、閉鎖構成にある場合に実質的に子供が扱えない容器を提供することを可能にする、［２２］に記載の子供が扱えない容器。
［２４］
前記容器ベースが、さらに、前記第１のキャップ係合要素と前記第２のキャップ係合要素との間の半径方向外面に対称的に配置された１つ以上の回転防止ロックを備える、［２３］に記載の子供が扱えない容器。
［２５］
さらに、前記容器ベースの前記キャップ係合要素の同じ側の前記半径方向フランジの直下の外面に配置されたグリップマーキングを備える、［２４］に記載の子供が扱えない容器。
［２６］
前記容器キャップが、４つのベース係合要素を備える、［２４］に記載の子供が扱えない容器。
［２７］
前記容器キャップが、さらに、前記キャップの上端に隆起部を備え、前記容器ベースが、さらに、前記ベースの凹床によって画定される受け部を備え、前記キャップの前記隆起部が、子供が扱えない容器が他の子供が扱えない容器に積み重ねることができるように、前記容器ベースの前記受け部と係合するように適合されている、［２０］に記載の子供が扱えない容器。
［２８］
前記受け部が、前記受け部の外縁に沿って配置された複数の積み重ね要素を備える、［２７］に記載の子供が扱えない容器。
［２９］
前記容器ベースか前記容器キャップ、または双方がポリマーを含む、［２０］に記載の子供が扱えない容器。
［３０］
前記ポリマーが、
ポリプロピレン、ポリプロピレンコポリマー、超透明ポリプロピレン、着色ポリプロピレン、ＰＥＴ、ＰＥＴＥ、ポリカーボネート、ポリスチレン、またはそれらの組み合わせを含む、［２９］に記載の子供が扱えない容器。
［３１］
前記容器キャップが、さらに、前記キャップの前記上端の内面に配置された環状シールリングを備える、［２９］に記載の子供が扱えない容器。
［３２］
前記容器が、実質的に気密性、液密性、耐光性、耐熱性、耐湿性、耐菌性、耐タンパー性、またはそれらの組み合わせである、［３１］に記載の子供が扱えない容器。
［３３］
前記容器ベースが、さらに、
前記容器ベース内の２つ以上の区画を画定するインサートを備える、［３２］に記載の子供が扱えない容器。
［３４］
容器の子供が扱えない閉鎖部に影響を与える方法において、
容器ベースおよび容器キャップを備える子供が扱えない容器を提供することであって、前記容器ベースが、閉鎖下端、開放上端、前記容器ベースの外面に配置された半径方向に延びるフランジ、第１のキャップ係合要素、および第２のキャップ係合要素を備え、前記第１および第２のキャップ係合要素が、前記容器ベースの前記外面に、互いに反対側で且つ前記開放上端と前記フランジとの間に配置され、前記容器キャップが、前記キャップの内面に１つ以上のベース係合要素を備え、前記１つ以上のベース係合要素のそれぞれが、前記ベースの前記少なくとも１つのキャップ係合要素に係合して可逆的に結合するように構成されていることと、
前記容器ベースの前記開放端上で前記容器キャップを摺動させることであって、前記第１および第２のキャップ係合要素が前記１つ以上のベース係合要素と係合して結合することとを備える、方法。
［３５］
前記容器キャップの前記１つ以上のベース係合要素のそれぞれが、上列リッジおよび下列リッジを備え、前記上列および前記下列リッジが、前記半径方向に延びるフランジ、前記第１のキャップ係合要素、前記第２のキャップ係合要素、またはそれらの組み合わせと係合するように構成されている、［３４］に記載の方法。
［３６］
前記容器ベースの前記第１および第２のキャップ係合要素が、それぞれ、
前記ベース係合要素を受け入れて係合する隆起面であって、前記フランジに略平行である隆起面と、
前記隆起面と前記フランジとの間に配置された複数のリッジと、前記複数のリッジ間の少なくとも１つの溝とを備え、前記少なくとも１つの溝が、前記下列リッジからリッジを受け入れるように構成されている、［３５］に記載の方法。
［３７］
前記容器キャップを前記容器ベースの前記開放端上で摺動させることが、前記下列リッジが前記キャップ係合要素の前記隆起面上を摺動して結合することを可能にし、前記下列リッジからのリッジが、前記容器ベースの前記少なくとも１つの溝に受け入れられる、［３６］に記載の方法。
［３８］
さらに、約２〜約６ポンドの外部圧縮力を前記容器ベースの両側に同時に加え、前記容器ベースから前記容器キャップを引き抜くことによって前記容器キャップを取り外すことを備える、［３７］に記載の方法。
【図１】
0006878688.tif 000002
【図２】
0006878688.tif 000003
【図３】
0006878688.tif 000004
【図４】
0006878688.tif 000005
【図５】
0006878688.tif 000006
【図６】
0006878688.tif 000007
【図７】
0006878688.tif 000008
【図８】
0006878688.tif 000009
【図９】
0006878688.tif 000010
【図１０】
0006878688.tif 000011
【図１１】
0006878688.tif 000012
【図１２】
0006878688.tif 000013
【図１３Ａ】
0006878688.tif 000014
【図１３Ｂ】
0006878688.tif 000015
【図１３Ｃ】
0006878688.tif 000016
【図１３Ｄ】
0006878688.tif 000017
【図１３Ｅ】
0006878688.tif 000018
【図１３Ｆ】
0006878688.tif 000019
【図１４Ａ】
0006878688.tif 000020
【図１４Ｂ】
0006878688.tif 000021
【図１５Ａ】
0006878688.tif 000022
【図１５Ｂ】
0006878688.tif 000023
【図１５Ｃ】
0006878688.tif 000024
【図１６Ａ】
0006878688.tif 000025
【図１６Ｂ】
0006878688.tif 000026
【図１７】
0006878688.tif 000027
【図１８】
0006878688.tif 000028
【図１９】
0006878688.tif 000029
【図２０】
0006878688.tif 000030
【図２１】
0006878688.tif 000031
【図２２】
0006878688.tif 000032
【図２３】
0006878688.tif 000033
【図２４】
0006878688.tif 000034
【図２５Ａ】
0006878688.tif 000035
【図２５Ｂ】
0006878688.tif 000036
【図２５Ｃ】
0006878688.tif 000037
【図２６】
0006878688.tif 000038
【図２７】
0006878688.tif 000039
【図２８】
0006878688.tif 000040
【図２９】
0006878688.tif 000041
【図３０】
0006878688.tif 000042
【図３１】
0006878688.tif 000043
【図３２】
0006878688.tif 000044
【図３３】
0006878688.tif 000045
【図３４Ａ】
0006878688.tif 000046
【図３４Ｂ】
0006878688.tif 000047
【図３４Ｃ】
0006878688.tif 000048
【図３４Ｄ】
0006878688.tif 000049